(57)【要約】      （修正有）【課題】手洗器の排水に詰まりが生じた際、適切な対応を可能とする手洗器を提供する。【解決手段】洗浄水を吐出する水栓１１０と、洗浄水を受けるボウル１３０と、ボウルに設けられた排水口１３５と、排水口と下水管３１０とを連通させ、排水口から排出される洗浄水を下水管へ排水する排水管１６０と、排水管の詰まりを検出する詰まり検出部１７０と、排水管の詰まりが検出された場合に、所定の通知先へ詰まりの発生を通知する通知部とを備える。【選択図】図４
2020079523.tif 000002
【特許請求の範囲】
【請求項１】
洗浄水を吐出する水栓と、
前記洗浄水を受けるボウルと、
前記ボウルに設けられた排水口と、
前記排水口と下水管とを連通させ、前記排水口から排出される前記洗浄水を前記下水管へ排水する排水管と、
前記排水管の詰まりを検出する詰まり検出部と、
前記排水管の詰まりが検出された場合に、所定の通知先へ前記詰まりの発生を通知する通知部と
を備える手洗器。
【請求項２】
前記詰まり検出部が、前記排水管の詰まりの程度を検出し、
前記通知部が、前記詰まりの発生と共に、前記詰まりの程度を通知する請求項１に記載の手洗器。
【請求項３】
前記通知部が、ネットワークを介して前記詰まりの発生を示す情報を所定の情報処理装置へ送信する請求項１又は２に記載の手洗器。
【請求項４】
前記排水管による排水経路の途中に設けられ、前記洗浄水中のゴミを受け止めるゴミ受部を更に備え、
前記詰まり検出部が、前記ゴミ受部による前記排水管の詰まりを検出する請求項１〜３の何れか一項に記載の手洗器。
【請求項５】
前記ゴミ受部が、
前記排水経路上に設置され、前記洗浄水から前記ゴミを濾しとる濾し部と、
一端が前記排水管と接続され、他端が前記濾し部を抜き出すための開口を有し、当該開口側の端部が、前記排水管側の端部よりも高い位置に設けられた筒部と、
を備える請求項４に記載の手洗器。
【請求項６】
前記詰まり検出部が、前記排水管の詰まりによって前記排水管に溜まった水の水位を検出し、
前記通知部が、前記筒部の前記開口よりも前記水位が低い状態か否かを通知する請求項５に記載の手洗器。
【請求項７】
前記排水管の詰まりが検出された場合に、前記水栓から吐出する洗浄水の水量を制限する制限部を備えた請求項１〜６の何れか一項に記載の手洗器。
【請求項８】
前記詰まり検出部が、前記排水管の詰まりによって前記排水管に溜まった水の水位を検出し、
前記制限部が、前記水位に応じて前記洗浄水の吐出量を制限する請求項７に記載の手洗器。
【発明の詳細な説明】
【技術分野】
【０００１】
本発明は、手洗器に関する。
【背景技術】
【０００２】
洗面所などに設けられる手洗器は、手に付着してる汚れを洗い流すための水を吐出する水栓や、当該水を受けるボウル部を備えている。ボウル部の内側には汚れが残ることがあるため、適宜清掃する必要がある。
【０００３】
特許文献１では、使用者が去った後、ボウル部を洗浄するための洗浄水を吐出する水栓を備えた手洗器が提案されている。
【０００４】
また、特許文献２では、ボウル部の周側壁において略接線方向へ洗浄水を吐水する噴出口を有するオストメイト用汚物流しが提案されている。
【先行技術文献】
【特許文献】
【０００５】
【特許文献１】特開２０１５−２５３１０号公報
【特許文献２】特開２００９−１７８４６０号公報
【発明の概要】
【発明が解決しようとする課題】
【０００６】
手洗器の排水が詰まった場合に、水栓から水を吐出し続けると、ボウル部から水が溢れて、床面の汚染や床下への漏水といった被害を招くことがあるため、速やかに詰まりを解消する等の対応が必要であった。
【０００７】
そこで、本発明は、手洗器の排水に詰まりが生じた際、適切な対応を可能とする技術の提供を目的とする。
【課題を解決するための手段】
【０００８】
本発明に係る手洗器は、
洗浄水を吐出する水栓と、
前記洗浄水を受けるボウルと、
前記ボウルに設けられた排水口と、
前記排水口と下水管とを連通させ、前記排水口から排出される前記洗浄水を前記下水管へ排水する排水管と、
前記排水管の詰まりを検出する詰まり検出部と、
前記排水管の詰まりが検出された場合に、所定の通知先へ前記詰まりの発生を通知する通知部と、を備える。
【０００９】
前記手洗器は、
前記詰まり検出部が、前記排水管の詰まりの程度を検出し、
前記通知部が、前記詰まりの発生と共に、前記詰まりの程度を通知してもよい。
【００１０】
前記手洗器は、前記通知部が、ネットワークを介して前記詰まりの発生を示す情報を所定の情報処理装置へ送信してもよい。
【００１１】
前記手洗器は、
前記排水管による排水経路の途中に設けられ、前記洗浄水中のゴミを受け止めるゴミ受部を更に備え、
前記詰まり検出部が、前記ゴミ受部による前記排水管の詰まりを検出してもよい。
【００１２】
前記手洗器は、
前記ゴミ受部が、
前記排水経路上に設置され、前記洗浄水から前記ゴミを濾しとる濾し部と、
一端が前記排水管と接続され、他端が前記濾し部を抜き出すための開口を有し、当該開口側の端部が、前記排水管側の端部よりも高い位置に設けられた筒部と、
を備えてもよい。
【００１３】
前記手洗器は、
前記詰まり検出部が、前記排水管の詰まりによって前記排水管に溜まった水の水位を検出し、
前記通知部が、前記筒部の前記開口よりも前記水位が低い状態か否かを通知してもよい。
【００１４】
前記手洗器は、
前記排水管の詰まりが検出された場合に、前記水栓から吐出する洗浄水の水量を制限する制限部を備えてもよい。
【００１５】
前記手洗器は、
前記詰まり検出部が、前記排水管の詰まりによって前記排水管に溜まった水の水位を検出し、
前記制限部が、前記水位に応じて前記洗浄水の吐出量を制限してもよい。
【発明の効果】
【００１６】
本発明によれば、手洗器の排水に詰まりが生じた際、適切な対応を可能とする技術を提供できる。
【図面の簡単な説明】
【００１７】
【図１】第一実施形態に係る手洗器の一例を示す斜視図である。
【図２】第一実施形態に係る手洗器の一例を示す平面図である。
【図３】第一実施形態に係る手洗器の一例を示す正面図である。
【図４】第一実施形態に係る手洗器の一例を示すＡ−Ａ断面図である。
【図６】コンピュータの装置構成図の一例を示す図である。
【図５】第一実施形態に係る制御装置の構成を示す図である。
【図７】制御装置が洗浄水を吐出させる処理を示す図である。
【図８】制御装置が詰まりの発生を検出する処理を示す図である。
【図９】第二実施形態に係る手洗器の断面図である。
【図１０】第二実施形態に係る制御装置が、詰まりの発生を検出する処理を示す図である。
【図１１】第三実施形態に係る手洗器の一例を示す斜視図である。
【図１２】第三実施形態に係る手洗器の一例を示す正面図である。
【図１３】第三実施形態に係る手洗器の一例を示すＢ−Ｂ断面図である。
【図１４】ストレーナの斜視図である。
【発明を実施するための形態】
【００１８】
＜第一実施形態＞
＜手洗器の構成＞
以下、本発明の実施の形態について、図面に基づいて説明する。なお、実施の形態は本発明の一例であり、本発明の構成は以下の例には限られない。
【００１９】
図１は、本実施形態に係る手洗器１０の一例を示す斜視図である。また、図２、図３及び図４は、本実施形態に係る手洗器１０の一例を示す平面図、正面図及びＡ−Ａ断面図である。手洗器１０は、手洗用の水を吐出する手洗用水栓（「第１の水栓」とも称す）１１０と、手洗用水栓１１０の前に手がかざされたことを、例えば赤外線を利用して検知する手検知センサ１１２と、手洗水を受けるボウル部（単に「ボウル」とも呼ぶ）１３０と、ボウル部１３０を洗浄するための洗浄水を吐出するボウル洗浄用水栓１４０とを有する。また、手洗器１０は、使用者の存在を検出する人感センサ１５０と、洗浄後の洗浄水（単に水又は排水とも称す）を排出する排水管１６０と、排水管１６０の詰まりを検出する詰まり検出部１７０と、洗浄水の吐出量等を制御する制御装置１９０を有する。なお、手洗器１０は、自動又は手動で洗剤を吐出する洗剤保持部をさらに有していてもよい。また、手洗器１０は、手検知センサ１１２の代わりに手洗用水栓１１０を吐水又は止水させるためのつまみ（ハンドル）又はレバーを有してもよい。本実施形態では、手洗器１０の使用時に使用者が位置する側を「手前」と呼び、その反対方向を「奥」と呼ぶ。
【００２０】
手洗用水栓１１０は、水道水や井戸水を供給する上水管２０１に電気的駆動弁２０２を介して接続された水栓であり、手洗用の水を吐出する。また、手洗用水栓１１０の手前側先端部には手検知センサ１１２が設けられている。手検知センサ１１２は、例えば赤外線センサであり、使用者が手を洗おうとして手洗用水栓１１０の前に出した際、赤外線の変化により、この手が出されたことを検知する。
【００２１】
手検知センサ１１２は、電気的駆動弁２０２を制御する制御装置１９０と電気的に接続されている。手検知センサ１１２で手が出されたことを検知した場合、制御装置１９０は、電磁弁、電動弁等のような電気的駆動弁２０２を駆動させて、手洗用水栓１１０から手洗水を吐出させる。
【００２２】
さらに、手洗器１０は、ボウル部１３０を洗浄するボウル洗浄用水栓（「第２の水栓」とも呼ぶ）１４０を有している。本実施形態では、ボウル洗浄用水栓１４０は、正面視で手洗用水栓１１０の下方に設けられている。また、図３において一点鎖線の矢印で示すように、ボウル洗浄用水栓１４０は、ボウル部１３０の内壁に沿ってボウルを洗浄するための洗浄水（「ボウル洗浄水」とも呼ぶ）を吐出する。なお、ボウル洗浄水は、図３に示すように正面視で左右に吐出するようにしてもよいし、いずれか一方に吐出するようにしてもよい。また、左右に吐出する場合は、一方と他方とで吐出方向に角度差をつけたり、吐出タイミングに時間差をつけたりしてもよい。また、手洗器１０は、ボウル部１３０の縁に沿ってボウル洗浄用水栓１４０を備え、ボウル部１３０の縁から内壁に沿ってボウル洗浄水を吐出するように構成されてもよい。後述するように、ボウル洗浄水は、例えば、使用者が手洗器１０を使用した後に吐出される。このようにすれば、手洗器１０は、ボウル部１３０の内部を適切なタイミングで清掃できるようになる。
【００２３】
図４に示すように、手洗用水栓１１０とボウル洗浄用水栓１４０が、電気的駆動弁（三方弁）２０２を介して上水管２０１に接続されており、制御装置１９０が電気的駆動弁２０２を制御することにより、洗浄水の吐出先を手洗用水栓１１０又はボウル洗浄用水栓１４０に切り換えることができる。
【００２４】
また、手洗器１０は、人感センサ１５０を有している。人感センサ１５０は、例えば、赤外線センサである。人感センサ１５０は、制御装置１９０と電気的に接続されている。本実施形態の人感センサ１５０は、手洗器１０の手前側に検出領域を有し、使用者の存在を検知して、この検知結果を制御装置１９０に入力する。そして、使用者の存在を検出し
なくなったこと、即ち使用者が手洗器１０の前から去ったことを人感センサ１５０が検知することにより、制御装置１９０が電気的駆動弁２０２を駆動させて、ボウル洗浄用水栓１４０からボウル洗浄水を吐出させる。本実施形態では、人感センサ１５０を備えたことにより、使用者が手洗器１０の使用を終えたタイミングでボウル部１３０を洗浄することができる。これにより、汚れがボウル内で固まって洗い流し難くなる前に、速やかにボウル部１３０を清掃できる。
【００２５】
制御装置１９０は、センサ１１２，１５０の検出結果に限らず、所定のタイミングで洗浄水を吐出させてもよい。例えば、制御装置１９０は、定期的に洗浄水を吐出させることや、最後に洗浄水を吐出させてから所定時間経過したタイミングで洗浄水を吐出させることとしてもよい。
【００２６】
また、ボウル部１３０は、手洗用水栓１１０及びボウル洗浄用水栓１４０から吐出された水を受けて排水管１０６へ排水するため、例えばボウル部１３０の最下部に排水口１３５を有している。排水口１３５の直上には、下部周壁１３６に囲繞された上向きの排水路１３７が設けられ、排水路１３７の上方を覆うようにボウル部内側の内底部１３１が前側へ延設されている。ボウル部１３０の内空を囲む周壁の前側部分は、排水口１３５よりも手前側へ張り出して設けられており、この張り出した前側部分の内壁１３２と内底部１３１との間にスリット状の開口１３３が形成されている。内壁１３２の下部には、開口１３３の下側で排水口１３５側へ湾曲された前底部１３４が延設され、前底部１３４と内底部１３１との間の空間が、開口１３３から排出される水の排水路１３８となっている。
【００２７】
ボウル部１３０に吐出された水は、ボウル部１３０の内壁に沿って開口１３３へ流れ込み、排水路１３８及び排水路１３７を通り、排水口１３５から排水管１６０へ排水として排出される。
【００２８】
本例の手洗器１０は、排水口１３５の上方に内底部（遮蔽部とも称す）１３１を有し、使用者から排水口１３５が見えないように構成されている。また、ボール部内の水を排出する開口１３３が、排水口１３５よりも前側に設けられている、即ち、平面視において、排水口１３５の外側に外れた位置に設けられているため、使用者が上方から開口１３３を覗き込んだとしても、前底部１３４が見えるだけで、排水口１３５は見えない。
【００２９】
排水管１６０は、上端の上流側接続部１６１が、ボウル部１３０の排水口１３５を有する下部周壁１３６の下端とパッキン１６２を介して接続され、反対側の端部が、壁５０内に埋設された下水管３１０に接続され、排水口１３５と下水管３１０とを連通させている。
【００３０】
排水管１６０は、排水の流れる方向（排水方向）下流側の一部、図４の例では下水管３１０との下流側接続部１６３に対し、その上流側の流路が下流側接続部１６３よりも低い位置へ下降した後、上向きに湾曲して、上方へ延設され、上端である上流側接続部１６１が下流側接続部１６３よりも高い位置でボウル部１３０と接続されている。このため、排水管１６０において、下流側接続部１６３よりも低い湾曲部分に排水（封水）１６４が溜まり、排水路を水封するので、この湾曲部分が排水トラップ１６５となる。
【００３１】
詰まり検出部１７０は、排水路の途中に設けられ、排水管１６０の詰まりを検出し、この検出結果を制御装置１９０へ入力する。詰まり検出部１７０は、排水管１６０の詰まりを検出できれば、何処に設けられてもよいが、本実施形態では、ボウル部１３０の排水口１３５と排水トラップ１６５との間に設けられている。詰まり検出部１７０は、例えば排水管１６０内に溜まった排水を検出した場合に、詰まりの発生を示す信号を検出結果として制御装置１９０に入力する。排水管１６０は、詰まりが発生していない状態では、排水
トラップ１６５以外には排水が滞留せず、流下するように設計されている。このため、排水トラップ以外の位置に設置された詰まり検出部１７０が、溜まっている排水を検出した場合には、詰まりが発生したと判別できる。
【００３２】
本実施形態の詰まり検出部１７０は、検出面に対する圧力によって水位を検出するセンサであり、検出面側の端部が排水管１６０の管壁に設けた貫通穴に外側から挿入され、検出面を排水管内に露出した状態で設置されている。排水が流れている場合、検出面に対する圧力は少ないが、排水が溜まって排水の水位が検出面より高くなると検出面に対する圧力が高くなる。このため、詰まり検出部１７０は、検出面に対する圧力が閾値を超えた場合に、排水管１６０内に溜まった排水を検出する、即ち詰まりが発生したことを検出する。なお、閾値は、大気圧に所定のオフセット値を加えた値など、大気圧に応じて変化するものであってもよい。
【００３３】
詰まり検出部１７０は、検出面に対する圧力を検出する方式に限定されるものではなく、詰まりを検出できるものであればよい。例えば、詰まり検出部１７０は、排水が流れている場合と溜まっている場合との差を検出面における誘電率の変化や、伝導率の変化、フロートの浮沈で、排水が溜まったことを検出するものであってもよい。
【００３４】
制御装置１９０は、詰まり検出部１７０によって詰まりの発生を検出した場合の通知や、洗浄水の吐出量の制限などの制御を行う情報処理装置である。図５は、制御装置の構成を示す図である。例えば、制御装置１９０は、ネットワークＮを介して管理サーバ３０と接続し、詰まりの発生を通知する。また、制御装置１９０は、排水管１６０の詰まりを検出した場合に洗浄水の吐出量を制限する。
【００３５】
制御装置１９０は、水栓制御部９１や、詰まり判定部９２、通知部９３、制限部９４を有している。水栓制御部９１は、手検知センサ１１２や人感センサ１５０の検知結果に基づいて、手洗用水栓１１０やボウル洗浄用水栓１４０から洗浄水を吐出させる。
【００３６】
詰まり判定部９２は、詰まり検出部１７０の検出結果に基づいて、詰まりの状態を判定する。通知部９３は、詰まり検出部１７０で詰まりの発生を検出した場合に、詰まりの発生を示す通知情報を管理サーバ３０へ通知する。なお、通知部９３は、詰まり検出部１７０で詰まりの発生を検出し、且つ詰まり判定部９２で通知が必要と判定した場合に通知情報を管理サーバ３０へ通知してもよい。通知情報は、例えば、詰まりが発生した手洗器１０の識別情報や、当該手洗器が設置されているトイレの識別情報、詰まりの状態等である。
【００３７】
制限部９４は、詰まり検出部１７０で詰まりの発生を検出した場合に、手洗用水栓１１０やボウル洗浄用水栓１４０から吐出させる洗浄水を制限する。
【００３８】
管理サーバ３０は、ネットワークＮを介して他の装置と通信可能な情報処理装置である。管理サーバ３０は、制御装置１９０から通知情報を受信すると、通知情報に含まれる識別情報に基づいて、対応するメンテナンス担当者の担当者端末４０に通知情報を転送する。
【００３９】
担当者端末４０は、ネットワークＮを介して他の装置と通信可能な情報処理装置である。担当者端末４０は、管理サーバ３０から通知情報を受信した場合に、制御装置１９０から通知情報を受信すると、通知情報に含まれる識別情報に基づいて、メンテナンスが必要な手洗器の情報を表示する。
【００４０】
図６は、コンピュータの装置構成図の一例を示す図である。制御装置１９０、管理サー
バ３０、及び担当者端末４０は、図６に示すようなコンピュータ１０００である。コンピュータ１０００は、例えば、ＣＰＵ（Central Processing Unit）１００１、主記憶装置
１００２、補助記憶装置１００３、通信ＩＦ（Interface）１００４、入出力ＩＦ（Interface）１００５、ドライブ装置１００６、通信バス１００７を備えている。ＣＰＵ１００１は、プログラムを実行することにより本実施の形態で説明する処理を行う。主記憶装置１００２は、ＣＰＵ１００１が読み出したプログラムやデータをキャッシュしたり、ＣＰＵの作業領域を展開したりする。主記憶装置は、具体的には、ＲＡＭ（Random Access Memory）やＲＯＭ（Read Only Memory）等である。補助記憶装置１００３は、ＣＰＵ１００１により実行されるプログラムや、本実施の形態で用いる設定情報などを記憶する。補助記憶装置１００３は、具体的には、ＨＤＤやＳＳＤ、フラッシュメモリ等である。通信ＩＦ１００４は、他のコンピュータ装置との間でデータを送受信する。通信ＩＦ１００４は、具体的には、有線又は無線のネットワークカード等である。入出力ＩＦ１００５は、入出力装置と接続され、コンピュータのユーザから入力を受け付けたり、ユーザへ情報を出力したりする。入出力装置は、具体的には、キーボード、マウス、ディスプレイ又はタッチパネル等である。ドライブ装置１００６は、フレキシブルディスク、ＣＤ（Compact Disc）、ＤＶＤ（Digital Versatile Disc）、ＢＤ（Blu-ray（登録商標） Disc）等の記録媒体に記録されたデータを読み出したり、記録媒体にデータを書き込んだりする。以上のような構成要素が、通信バス１００７で接続されている。なお、これらの構成要素は複数設けられていてもよいし、一部の構成要素（例えば、ドライブ装置１００６）を設けないようにしてもよい。また、入出力装置がコンピュータと一体に構成されていてもよい。コンピュータ１０００は、ＣＰＵ１００１が、補助記憶装置１００３に格納されたプログラムを主記憶装置の作業領域にロードして実行し、プログラムの実行を通じて各構成部等が制御されることによって、所定の目的に合致した各機能を実現することができる。例えば、制御装置１９０であれば、ＣＰＵ１００１は、水栓制御部９１や、詰まり判定部９２、通知部９３、制限部９４の機能を実現する。ただし、一部または全部の機能はＡＳＩＣやＦＰＧＡのようなハードウェア回路によって実現されてもよい。なお、管理サーバ３０は、単一のコンピュータで構成されてもよいし、互いに連携する複数台のコンピュータによって構成されてもよい。
【００４１】
＜管理方法＞
図７は、制御装置１９０が洗浄水を吐出させる処理を示す図、図８は、制御装置１９０が詰まりの発生を検出する処理を示す図である。
【００４２】
制御装置１９０は、電源が投入されると、図７の処理を開始し、電源が切断されるまで周期的に実行する。
【００４３】
ステップＳ１０にて、制御装置１９０は、人感センサ１５０が使用者の存在を検出しているか否かを判定する。
【００４４】
ステップＳ１０にて、肯定判定であれば、制御装置１９０は、ステップＳ２０へ移行し、使用者が手洗器１０の前に存在している時間、即ち使用者が手洗器１０を使用している時間（使用時間）を示すカウンタ値をインクリメントし、ステップＳ３０へ移行する。
【００４５】
ステップＳ３０にて、制御装置１９０は、手検知センサ１１２が手を検知したか否かを判定する。ステップＳ３０で否定判定であれば、制御装置１９０は、ステップＳ１００へ移行し、肯定判定であればステップＳ４０へ移行する。
【００４６】
ステップＳ４０にて、制御装置１９０は、手洗用水栓１１０に係る吐出量の設定値を記憶装置から読み出し、ステップＳ５０へ移行する。
【００４７】
ステップＳ５０にて、制御装置１９０は、ステップＳ４０で読み出した設定値に基づいて電気的駆動弁２０２の開度を制御し、洗浄水を手洗用水栓１１０から吐出させる。
【００４８】
一方、ステップＳ１０で否定判定の場合、制御装置１９０は、ステップＳ６０へ移行し、使用時間のカウンタ値を読み出し、ステップＳ７０へ移行する。
【００４９】
ステップＳ７０にて、制御装置１９０は、ステップＳ６０で読み出したカウンタ値等の情報が、手洗器１０の洗浄条件を満たしたか否かを判定する。ここで洗浄条件とは、例えば、カウンタ値が閾値を超えていることが挙げられる。即ち、使用時間が閾値を超えた場合には洗浄条件を満たしたと判定する。また、カウンタ値が閾値を超え、且つ前回の洗浄から所定時間以上経過した場合に、洗浄条件を満たしたと判定してもよい。或は、カウンタ値が閾値を超えた場合、又は前回の洗浄から所定時間以上経過した場合に、洗浄条件を満たしたと判定してもよい。
【００５０】
ステップＳ７０で肯定判定の場合、制御装置１９０は、ステップＳ８０へ移行し、ボウル洗浄用水栓１４０に係る吐出量の設定値を記憶装置から読み出す。
【００５１】
ステップＳ９０にて、制御装置１９０は、ステップＳ８０で読み出した設定値に基づいて電気的駆動弁２０２の開度を制御し、洗浄水をボウル洗浄用水栓１４０から吐出させる。
【００５２】
ステップＳ１００にて、制御装置１９０は、ステップＳ４０，Ｓ８０で読み出した設定値に基づいて吐出が完了したか否かを判定する。例えば設定値に基づき、ステップＳ５０，Ｓ９０で開始させた吐出を所定の時間（以下、吐出時間と称す）継続させる場合、制御装置１９０は、ステップＳ５０，Ｓ９０で吐出を開始させてから経過した時間（以下、経過時間と称す）が吐出時間に達しか否かを判定する。
【００５３】
ステップＳ１００で否定判定の場合、制御装置１９０は、図７の処理を終了する。即ち、経過時間が吐出時間に達していないため、吐出を継続させる。そして、制御装置１９０は、図７の処理を繰り返し、ステップＳ１００で肯定判定した場合、ステップＳ１０５へ移行し、吐出を停止させる。
【００５４】
このように制御装置１９０は、手検知センサ１１２や人感センサ１５０の検知結果に基づいて、手洗用水栓１１０又はボウル洗浄用水栓１４０から洗浄水を吐出させる。
【００５５】
また、制御装置１９０は、電源が投入されると、図８の処理を開始し、電源が切断されるまで周期的に実行する。
【００５６】
ステップＳ１１０にて、制御装置１９０は、詰まり検出部１７０による検出結果を取得し、検出した時刻と共に記憶装置に記憶して、ステップＳ１２０へ移行する。
【００５７】
ステップＳ１２０にて、制御装置１９０は、ステップＳ１１０で取得した検出結果に基づいて、通知を行う条件（通知条件）を満たしているか否かを判定する。例えば、排水管１６０内に排水が溜まったことを通知条件とし、ステップＳ１１０で排水が溜まったことを検出した場合に肯定判定し、排水が溜まったことを検出しなかった場合に否定判定する。なお、ボウル洗浄用水栓１４０から洗浄水を吐出させる場合、比較的短時間に多くの洗浄水を吐出するため、一時的に排水管内に排水が溜まることがある。この場合、排水管１６０が詰まっていなければ、排水管内に溜まった排水は短時間で排出されるので、すぐに詰まり検出部１７０に検出されなくなるが、詰まりが発生している場合には、検出されなくなるまでの時間が長くなる。このため、制御装置１９０は、記憶装置に記憶された検出
結果を参照し、排水管１６０内に溜まった排水を検出してから、検出しなくなるまでの時間（滞留時間）を求め、この滞留時間が閾値以上となったことを通知条件としてもよい。即ち、制御装置１９０は、滞留時間が閾値以上の場合に肯定判定し、滞留時間が閾値未満の場合に否定判定する。また、手洗用水栓１１０から洗浄水が吐出中であって、且つ排水管１６０内に溜まった排水を検出したことを通知条件としてもよい。
【００５８】
ステップＳ１２０で、否定判定の場合、制御装置１９０は、図８の処理を終了し、肯定判定の場合、ステップＳ１３０へ移行する。
【００５９】
ステップＳ１３０にて、制御装置１９０は、詰まりが発生したこと及び詰まりが発生した手洗器１０の識別情報を示す通知情報を管理サーバ３０へ送信する。なお、制御装置１９０は、排水の滞留時間に基づいて詰まりの程度（閉塞度）を求め、この詰まりの程度を通知情報に含めて通知してもよい。通知情報を受信した管理サーバ３０は、通知情報に基づいて詰まりが発生した手洗器１０を特定し、対応するメンテナンス担当者の担当者端末４０へ通知情報を送信する。なお、図８の処理は、繰り返し実行されるため、前回通知情報を送信（通知）してから所定時間経過していない場合、ステップＳ１３０をスキップして同じ通知情報を繰り返し送信しないようにしてもよい。
【００６０】
ステップＳ１４０にて、制御装置１９０は、詰まり検出部１７０の検出結果に基づき、手洗用水栓１１０及びボウル洗浄用水栓１４０に係る吐出の設定値を更新することで、手洗用水栓１１０やボウル洗浄用水栓１４０から吐出させる洗浄水の吐出量を制限する。例えば、制御装置１９０は、排水管１６０内に溜まった排水を検出している場合には、電気的駆動弁２０２の開度或は洗浄水の吐出時間を零とするように設定値を更新する。これにより制御装置１９０は、図７の処理を実行した際、ステップＳ５０、Ｓ９０で電気的駆動弁２０２の開度を零とする、即ち電気的駆動弁２０２を閉じ、洗浄水の吐出を停止する。或は吐出時間が零となることで、制御装置１９０は、洗浄水の吐出中であってもステップＳ１００で吐出が完了したと判定し、洗浄水の吐出を停止する。また、制御装置１９０は、洗浄水の吐出後、排水管１６０内に溜まった排水が検出されない場合には、詰まりが発生していないと判定できるため、電気的駆動弁２０２の開度や洗浄水の吐出時間の設定値を初期値とし、吐出量を制限しないようにする。また、制御装置１９０は、詰まりの程度に応じて吐出量の設定値を更新してもよい。例えば、排水の滞留時間が短く、詰まりの程度が低い場合には、設定値を初期値或は初期値に近い大きな値とし、排水の滞留時間が長く、詰まりの程度が高いと判定される場合には、設定値を小さい値とするように、当該設定値の初期値に対する割合を滞留時間に応じて設定してもよい。
【００６１】
＜実施形態の効果＞
上述のように本実施形態によれば、手洗器１０の排水管１６０に詰まりが発生した場合、メンテナンス担当者に詰まりの発生を通知するので、メンテナンス担当者が速やかにメンテナンスを行うことができる。
【００６２】
また、詰まりが発生した場合、洗浄水の吐出量を制限するので、メンテナンスを行う前に、洗浄水が溢れて床を汚染するといった被害の拡大を防止することができる。
【００６３】
＜第二実施形態＞
第二実施形態では、排水管１６０内に複数の詰まり検出部を備えた例を示す。本実施形態は、前述の第一実施形態と比較して、この複数の詰まり検出部を備えた構成が異なり、その他の構成は同じである。このため、前述の第一実施形態と同じ構成には、同符号を付すなどして、再度の説明を省略している。
【００６４】
図９は、第二実施形態に係る手洗器１０の断面図である。図９に示すように、本実施形
態の手洗器１０は、排水管１６０内において、排水方向に位置を異ならせて複数の詰まり検出部１７０Ａ〜１７０Ｃを配置している。換言すると、本実施形態の手洗器１０は、排水管１６０内のトラップ１６５とボウル部１３０の開口１３３との間に三つの詰まり検出部１７０Ａ〜１７０Ｃを配置している。なお、詰まり検出部１７０の数は、これに限定されるものではなく、排水の水位を段階的に求められるように複数有していればよい。
【００６５】
詰まり検出部１７０Ａは、排水路内に溜まる排水の上限を僅かに超えた位置に設けられている。詰まり検出部１７０Ｃは、排水トラップ１６５の水面よりもやや上であって、複数の詰まり検出部１７０Ａ〜１７０Ｃの中で、最も低い位置に設けられている。詰まり検出部１７０Ｂは、詰まり検出部１７０Ａと詰まり検出部１７０Ｃの中間に設けられている。
【００６６】
このように詰まり検出部１７０Ａ〜１７０Ｃは、排水方向において異なる位置に設けられ、排水管１６０に溜まった排水の水位を段階的に検出することができる。
【００６７】
同じ量の排水を排水管１６０に流した場合、詰まりの程度（閉塞度）が高い程、排水管１６０内に溜まる排水が多くなるため、詰まり判定部９２は、詰まり検出部１７０Ａ〜１７０Ｃで検出したは、排水の水位に基づいて、閉塞度を検出できる。例えば、排水管１６０の閉塞度を異ならせた手洗器１０について、手洗用水栓１１０やボウル洗浄用水栓１４０から洗浄水を所定量吐出させ、所定時間後に溜まる排水の水位を求め、この閉塞度と水位の対応関係をデータテーブルとして記憶装置に記憶させておく。そして、詰まり判定部９２は、詰まりを検出する処理において、このデータテーブルを参照し、詰まり検出部１７０Ａ〜１７０Ｃで検出した排水の水位と対応する閉塞度を求める。
【００６８】
また、詰まり判定部９２は、排水管１６０内に溜まった排水の水位が、詰まり検出部１７０Ｃで検出される位置（第一水位）から詰まり検出部１７０Ｂで検出される位置（第二水位）に達するまでの時間（増水時間）から閉塞度を求めてもよい。例えば、閉塞度が高く、排水が殆ど流れない状態であれば、増水時間は短くなり、閉塞度が低ければ増水時間は長くなる。このため閉塞度と増水時間の対応関係を予め求め、データテーブルとして記憶装置に記憶しておく。そして、詰まり判定部９２は、詰まりを検出する処理において、このデータテーブルを参照し、排水管１６０内に溜まった排水を詰まり検出部１７０Ｃで検出してから詰まり検出部１７０Ｂで検出するまでの時間に応じて閉塞度を求めてもよい。
【００６９】
制限部９４は、詰まり検出部１７０で詰まりの発生を検出した場合、この詰まりの程度（閉塞度）に応じて、手洗用水栓１１０やボウル洗浄用水栓１４０から吐出させる洗浄水の量を制限する。本実施形態の手洗器１０は、排水口１３５の直上を内底部（遮蔽部）１３１が覆っているため、排水管１６０内に多少排水が溜まったとしても内底部（遮蔽部）１３１が覆われた範囲に収まれば、使用者に不快感を与えることがない。そこで、排水の水位の上限を設定しておき、制限部９４は、詰まり判定部９２で求めた閉塞度に応じ、排水の水位が上限を超えないように洗浄水の吐出量を制限する。
【００７０】
排水の水位の上限は、内底部（遮蔽部）１３１が覆われた範囲内であれば、何処に設定してもよいが、本実施形態では、詰まり検出部１７０Ａより排水方向下流側で最も高い位置、例えば、詰まり検出部１７０Ａの検出面における下端としている。即ち、排水管１６０内に溜まった排水が、詰まり検出部１７０Ａで検出された場合、上限を超えているので、制限部９４は、吐出量の設定値を零とし、手洗用水栓１１０及びボウル洗浄用水栓１４０から洗浄水を吐出させないようにする。
【００７１】
図１０は、第二実施形態に係る制御装置１９０が、詰まりの発生を検出する処理を示す
図である。制御装置１９０は、電源が投入されると、図１０の処理を開始し、電源が切断されるまで周期的に実行する。
【００７２】
ステップＳ１１０にて、制御装置１９０は、詰まり検出部１７０Ａ〜１７０Ｃによる検出結果を取得し、検出した時刻と共に記憶装置に記憶して、ステップＳ１１５へ移行する。
【００７３】
ステップＳ１１５にて、制御装置１９０は、ステップＳ１１０で取得した詰まり検出部１７０Ｂ，１７０Ｃの検出結果に基づいて、排水管１６０の閉塞度を求める。
【００７４】
ステップＳ１２０にて、制御装置１９０は、ステップＳ１１５で求めた閉塞度に基づいて、通知を行う条件（通知条件）を満たしているか否かを判定する。例えば、閉塞度が閾値（例えば４０％）を超えたこと、及び排水の水位が上限を超えたことを通知条件とする。
【００７５】
ステップＳ１２０で、否定判定の場合、制御装置１９０は、図１０の処理を終了し、肯定判定の場合、ステップＳ１３０へ移行する。
【００７６】
ステップＳ１３０にて、制御装置１９０は、詰まりが発生したことや、詰まりが発生した手洗器１０の識別情報、及び閉塞度を示す通知情報を管理サーバ３０へ送信する。通知情報を受信した管理サーバ３０は、通知情報に基づいて詰まりが発生した手洗器１０を特定し、対応するメンテナンス担当者の担当者端末４０へ通知情報を送信する。なお、図１０の処理は、繰り返し実行されるため、前回通知情報を送信（通知）してから所定時間経過していない場合、ステップＳ１３０をスキップして同じ通知情報を繰り返し送信しないようにしてもよい。
【００７７】
ステップＳ１４０にて、制御装置１９０は、詰まり検出部１７０Ａ〜１７０Ｃの検出結果、本実施形態では閉塞度に基づき、手洗用水栓１１０及びボウル洗浄用水栓１４０に係る吐出の設定値を更新することで、手洗用水栓１１０やボウル洗浄用水栓１４０から吐出させる洗浄水の吐出量を制限する。例えば、閉塞度が高ければ、電気的駆動弁２０２の開度や洗浄水の吐出時間の設定値を小さく設定し、洗浄水の吐出量を制限する。また、閉塞度が低ければ、電気的駆動弁２０２の開度や洗浄水の吐出時間の設定値を初期値或は大きい値に設定する。
【００７８】
更に、制御装置１９０は、排水の水位が上限を超えた場合、電気的駆動弁２０２の開度或は洗浄水の吐出時間を零とするように設定値を更新する。これにより制御装置１９０は、図７の処理を実行した際、ステップＳ５０、Ｓ９０で電気的駆動弁２０２の開度を零とする、即ち電気的駆動弁２０２を閉じ、洗浄水の吐出を停止する。或は吐出時間を零とすることで、制御装置１９０は、洗浄水を吐出中であってもステップＳ１００で吐出が完了したと判定し、ステップＳ１０５で洗浄水の吐出を停止する。
【００７９】
このように本実施形態によれば、詰まり検出部１７０Ａ〜１７０Ｃに基づいて、排水管１６０の詰まりの程度を精度良く検出できるので、詰まりの発生を誤って通知し、無駄にメンテナンスを行わせることが防止される。
【００８０】
また、詰まりの程度によって、精度良く洗浄水の吐出を制限するので、詰まりが発生した場合でも洗浄水が溢れることを防止して被害の拡大を抑えることができると共に、無駄に洗浄水を停止して手洗器１０を使えなくすることが防止される。
【００８１】
＜第三実施形態＞
第三実施形態では、排水管１６０の途中にゴミ受部１８０を備えた例を示す。本実施形態は、前述の第二実施形態と比較して、このゴミ受部１８０を備えた構成が異なり、その他の構成は同じである。このため、前述の第二実施形態と同じ構成には、同符号を付すなどして、再度の説明を省略している。
【００８２】
図１１は、本実施形態に係る手洗器１０の一例を示す斜視図である。また、図１２及び図１３は、本実施形態に係る手洗器１０の一例を示す正面図及びＢ−Ｂ断面図である。
【００８３】
本実施形態に係る手洗器１０は、排水管１６０による排水経路の途中に、排水中のゴミを受け止めるゴミ受部１８０が設けられている。ゴミ受部１８０は、排水経路上に配置され、排水からゴミを濾しとる濾し部（ストレーナとも称す）１８１と、排水経路上に配置されたストレーナ１８１を水平方向よりも上側に向けて抜き出すための経路を内包する筒部１８２と、筒部１８２の前側端部の開口を密閉する蓋部１８３とを有している。
【００８４】
筒部１８２は、一端が排水管と接続され、他端がストレーナ１８１を抜き出すための開口１８２１を有し、当該開口側の端部が、前記排水管側の端部よりも高い位置に設けられている。
【００８５】
図１４は、ストレーナ１８１の斜視図である。図１４に示すように、ストレーナ１８１は、有底筒状の網部１８Ａと、取っ手１８Ｂとを有している。網部１８Ａと取っ手１８Ｂは、筒部１８２及び排水管１６０内に収まる大きさに形成され、筒部１８２に対して挿抜可能に形成されている。
【００８６】
網部１８Ａは、先端側を底部１８Ａ１、後端側を開口１８Ａ２とし、排水を開口１８Ａ２から流入させ、先端側へ通過させることで、排水中のゴミを濾しとり、網部１８Ａ内に保持する。取っ手１８Ｂは、網部１８Ａの後部に延設され、ストレーナを抜き出す際の手掛かりとして用いられる。なお、本実施形態では、ゴミを濾しとるための濾材として、網部１８Ａを用いたが、濾材は、これに限らず、パンチングメタルや格子など、排水を通し、ゴミを止める開口を有した部材であればよい。また、本実施形態のストレーナ１８１は、ステンレスで構成されているが、濾材の材質は、これに限らず、金属、セラミック、琺瑯、合成樹脂など、ゴミを受け止める形状を維持できるものであればよい。
【００８７】
筒部１８２の開口側端部の外周には、雄ネジ部が形成され、この筒部１８２の開口側端部に外嵌される蓋部１８３の雄ネジ部と対向する内周面に、雌ネジ部が形成されており、これらネジ部を螺合することで蓋部１８３が筒部１８２に取り付けられ、開口１８２１を密閉する。
【００８８】
蓋部１８３を外した状態で、ストレーナ１８１が、筒部１８２の開口１８２１に挿入されると、ストレーナ１８１の先端が排水管１６０の湾曲した内壁に突き当たる位置に配置される。この場合、ストレーナ１８１の網部１８Ａが、排水トラップ１６５の封水１６４内で、開口１８Ａ２を上側、即ち排水路の下流側に向けて配置される。そして、蓋部１８３が、筒部１８２の開口側端部に取り付けられ、筒部１８２を密閉する。
【００８９】
このように本実施形態の手洗器１０では、ゴミ受部１８０が、排水トラップ１６５の上流部分に設けられている。なお、これに限らず、ゴミ受部１８０は、排水管１６０の何処に設けられてもよいが、蓋部１８３を外した際の臭気の漏れや衛生害虫の進入を防止するために排水トラップ１６５内或は排水トラップ１６５よりも排水方向上流側に設けることが望ましい。
【００９０】
本実施形態において、洗浄水を吐出する処理や詰まりの発生を検出する処理は、前述の
図７や図１０と同じである。なお、本実施形態では、網の形状が異なると、閉塞度と水位の対応関係が異なるため、網の形状毎にデータテーブルを有していてもよい。例えば、網目の細かいストレーナ１８１を採用した場合と、網目の粗いストレーナ１８１を採用した場合とでは、閉塞度と水位の対応関係が異なるため、採用したストレーナ１８１の形状に応じたデータテーブルを用いて、閉塞度を求める構成とする。
【００９１】
また、本実施形態において、詰まり検出部１７０Ｃが、排水トラップ１６５における封水の水面１６９よりも高く、筒部１８２の開口よりも低い位置に設けられる。具体的には、詰まり検出部１７０Ｃが、筒部１８２の開口の下端よりも僅かに低い位置に設けられている。このため、詰まり検出部１７０Ｃが排水を検出していない状態であれば、ゴミ受部１８０の蓋１８３を開けても排水が溢れることがないが、詰まり検出部１７０Ｃが排水を検出している状態であれば、ゴミ受部１８０の蓋１８３を開けた際に排水が開口から溢れる。そこで、通知部９３は、詰まり検出部１７０Ｃが排水を検出しているか否かを示す情報を通知情報に含めて、管理サーバ３０へ通知してもよい。これにより通知情報を受信したメンテナンス担当者が、ゴミ受部１８０の蓋１８３を開けた場合に、排水が開口から溢れるか否かを事前に知ることができ、排水の水位が開口よりも低くなるまで待つか、溢れた排水を受ける準備をしてからメンテナンスにあたることができる。なお、詰まり検出部１７０Ｃが排水を検出しているか否かを示す情報は、通知情報で送信することに限らず、手洗器１０に表示装置を設けて表示するようにしてもよい。また、通知情報は、ステップＳ１３０で送信するだけでなく、担当者端末４０が管理サーバ３０に接続して、通知情報を取得するようにしてもよい。
【００９２】
＜実施形態の効果＞
本実施形態における手洗器１０は、排水経路の途中にゴミ受部１８０を備え、排水経路の途中でゴミを受け止め、下水管３１０にゴミが流入することを抑えている。従来の手洗器では、排水口に設けた目皿や網でゴミを受け止めるものが広く普及しているが、目皿等にゴミが溜まると、使用者が手を洗う際に、このゴミを目にして、不快に感じることになる。このため、使用者に不快感を与えないためには、頻繁に清掃する必要がある。これに対し、本実施形態の手洗器１０では、排水口１３５よりも下流側でゴミを受け止めるので、使用者が溜まったゴミを目にすることを抑えられる。特に、本実施形態では、排水口１３５を内底部（遮蔽部）１３１が覆っているため、使用者が排水口１３５内を見ることがなく、多少ゴミが溜まったとしても使用者に不快感を与えることがない。
【００９３】
また、従来目皿等にゴミを溜まると、排水の流れが悪くなり、ボール部内に排水が溜まることになる。一時的にでも排水が溜まると、手を洗う際に排水が跳ねる等して不衛生であると共に、非常に不快感を感じることになる。このため、ガムやタバコの吸い殻等、排水の流れを悪くするようなゴミが捨てられた場合には、迅速に清掃する必要がある。
【００９４】
これに対し本実施形態では、ゴミ受部１８０とボウル部１３０の開口１３３とが離れているため、多少水が溜まったとしても排水管内で収まる程度であれば、使用者が目にすることがないため、不快感を与えることがない。特に、本実施形態では、ゴミ受部１８０の網部１８Ａが封水内に配置されているので、排水から濾しとられたゴミが、封水内、即ち封水内で保持されるので、溜まったゴミの臭いによって使用者に不快感を与えることがない。
【００９５】
上記のように、本実施形態の手洗器１０では、排水管１６０を外すことなく、排水管１６０の途中に設けたゴミ受部１８０のストレーナ１８１を抜き出すことができるので、容易にゴミ受部１８０の清掃を行うことができる。
【００９６】
特に、本実施形態の手洗器１０では、ストレーナ１８１を抜き出すための経路が上向き
に形成され、開口１８２１が封水１６４の上面（水面）１６９よりも高い位置に設けられているため、蓋部１８３を外した場合でも封水１６４がこぼれて床を汚染することがなく、容易に清掃を行うことができる。
【００９７】
また、詰まりが発生した状態で蓋部１８３を外す場合でも、排水が開口から溢れるか否かを事前に知ることができるため、排水を受ける準備をするなど、適切にメンテナンスを行うことができる。
【００９８】
なお、本実施形態は、ゴミ受部１８０以外の構成を第二実施形態と同じとしたが、第一実施形態と同じであってもよい。
【００９９】
上述の実施形態では、制御装置１９０が、管理サーバ３０へ通知情報を送信し、管理サーバ３０から担当者端末４０へ通知情報を送信したが、これに限らず制御装置１９０が、担当者端末４０へ通知情報を送信してもよい。
【符号の説明】
【０１００】
１０          ：手洗器
３０          ：管理サーバ
４０          ：担当者端末
９１          ：水栓制御部
９２          ：判定部
９３          ：通知部
９４          ：制限部
１０６        ：排水管
１１０        ：手洗用水栓
１１２        ：手検知センサ
１３０        ：ボウル部
１３３        ：開口
１３５        ：排水口
１４０        ：ボウル洗浄用水栓
１５０        ：人感センサ
１６０        ：排水管
１７０        ：詰まり検出部
１８０        ：ゴミ受部
１９０        ：制御装置
２０１        ：上水管
２０２        ：電気的駆動弁
３１０        ：下水管
【図１】
2020079523.tif 000003
【図２】
2020079523.tif 000004
【図３】
2020079523.tif 000005
【図４】
2020079523.tif 000006
【図５】
2020079523.tif 000007
【図６】
2020079523.tif 000008
【図７】
2020079523.tif 000009
【図８】
2020079523.tif 000010
【図９】
2020079523.tif 000011
【図１０】
2020079523.tif 000012
【図１１】
2020079523.tif 000013
【図１２】
2020079523.tif 000014
【図１３】
2020079523.tif 000015
【図１４】
2020079523.tif 000016